【事件の表示】
　平成１０年特許願第１６８４６７号「カード式パチンコ遊技機」拒絶査定不服審判事件〔平成１２年　１月　７日出願公開、特開２０００−　　　３５７〕について、次のとおり審決する。
【結　論】
　本件審判の請求は、成り立たない。
【理　由】
１．手続の経緯
　本願は、平成１０年６月１６日の出願であって、平成１３年９月５日付けで拒絶査定がなされ、これに対し、同年９月２７日に拒絶査定に対する審判請求がなされるとともに、同日付けで手続補正がなされたものである。
　
２．平成１３年９月２７日付けの手続補正についての補正却下の決定
［補正却下の決定の結論］
　平成１３年９月２７日付けの手続補正（以下、「本件補正」という。）を却下する。
［理由］
(1)補正後の本願発明
　本件補正により、特許請求の範囲の請求項１は、次のとおりに補正された。
　「遊技盤面に設けられる入賞口への遊技球の入賞により払出される賞品球の払出経路である賞球払出経路と、カード使用による貸し球要求に対応して払出される貸し球の払出経路である貸し球払出経路とを備え、前記賞球払出経路と貸し球払出経路とに球の払出経路を切換える経路切換手段と、賞品球の払出信号及び貸し球の要求信号のいずれかに基づいて前記経路切換手段による球払出経路を切換え制御する経路切換制御手段とが設けられると共に、前記経路切換手段が、前記補給通路を介して賞球タンクより供給される球を
複数の球受孔で受けて
機構板面に対して
複数の球受孔で受けられた
　上記補正は、補正前の請求項１に係る発明を更に限定するものであって、特許法第１７条の２第４項第２号に掲げる特許請求の範囲の減縮を目的とする。
　そこで、本件補正後の前記請求項１に記載された発明（以下、「本願補正発明」という。）が特許出願の際独立して特許を受けることができるものであるかについて以下検討する。
　
(2)先願明細書記載の発明
　本願の出願の日前の他の特許出願であつて当該特許出願後に発行された特願平１０−１５６６７８号（特開平１１−３１９２５７号参照）の願書に最初に添付した明細書又は図面（以下、「先願明細書」という。）には、以下のことが記載されている。
「【０００１】【発明の属する技術分野】本発明は、爪車状の回転体を正転または逆転させることによってパチンコ球を２つの球払出通路に払い分けするパチンコ遊技機における球払出装置に関するものである。」、
「【０００８】【発明の実施の形態】・・・図１はこのカード式パチンコ遊技機の正面図、・・・１は遊技機本体、２は該遊技機本体に隣接するように設けられた薄型のカード式球貸出機である。３は複数の入賞口・・・が設けられた遊技盤、・・・である。」、
「【０００９】また、１２は遊技機本体裏面に設けられた景品球タンク、１３は該景品球タンク１２から整流樋３９を介してパチンコ球の供給を受ける球払出装置である。該球払出装置１３は、図３，図４に示したように、整流樋３９を通ることによってパチンコ球を一列に整列して流下させ得る球供給筒１０を鉛直に設け、該球供給筒下端に分岐部１１を形成し、該分岐部１１の両側に下方に連なるように貸球払出通路１４および賞球払出通路１５を形成している。そして該分岐部１１に回転体１６をパルスモータ等の正逆転可能なモータ１７の回転軸１７’に固着することによって鉛直面内で正転または逆転し得るように設ける。該回転体１６の外周にはパチンコ球の直径より浅い保持孔１８が形成されるとともに該回転軸１７’を中心とする円周面状なるように該回転体の外周面１９を形成してなる。」、
「【００１３】図９はコントロール基板２２中に設けられた球払出制御回路２７の入出力信号系を示したブロック図である。同図に示したように球払出制御回路２７には、前記球貸出要求スイッチ８から球貸出要求信号が入力されるとともに、前記入賞球検出スイッチ２６から入賞球検出信号が入力される。」、
「【００１４】また、該球払出制御回路２７は球貸出要求信号が入力されると駆動回路に制御信号を出力しモータ１７を回転駆動し回転体１６を矢印Ａ方向に回転させパチンコ球を貸球払出通路１４に排出させる。また入賞球検出信号が入力されると駆動回路に制御信号を出力しモータ１７を逆向に回転駆動し回転体１６を矢印Ｂ方向に回転させパチンコ球を賞球払出通路１５に排出させる。」。
　上記記載及び図面等の記載からみて、上記先願明細書には、
　「遊技盤３面に設けられる入賞口へのパチンコ球の入賞により払出される入賞球の払出通路である賞球払出通路１５と、カード使用による貸球要求に対応して払出される貸球の払出通路である貸球払出通路１４とを備え、前記賞球払出通路１５と貸球払出通路１４とに球の払出通路を切換える回転体１６及びモータ１７と、入賞球検出信号及び球貸出要求信号のいずれかに基づいて前記回転体１６及びモータ１７による球払出通路を切換え制御する球払出制御回路２７とが設けられると共に、球供給筒１０を介して景品球タンク１２より供給される球を複数の保持孔１８で受けて前記賞球払出通路１５及び貸球払出通路１４のいずれかに選択的に誘導し可逆転式に回転される回転体１６と、該回転体１６を鉛直面内で可逆転式に回転させるモータ１７とからなり、前記回転体１６の回転方向により複数の保持孔１８で受けられた球が前記賞球払出通路１５と貸球払出通路１４とに振り分けて払い出されるカード式パチンコ遊技機。」の発明（以下、「先願発明」という。）が記載されていると認められる。
　
(3)対比・判断
　そこで、本願補正発明と先願発明とを対比すると、先願発明の「パチンコ球」が本願補正発明の「遊技球」に相当し、以下同様に、「入賞球」が「賞品球」に、「賞球払出通路１５」が「賞球払出経路」に、「払出通路」が「払出経路」に、「回転体１６及びモータ１７」が「経路切換手段」に、「入賞球検出信号」が「賞品球の払出信号」に、「球貸出要求信号」が「貸し球の要求信号」に、「貸球」が「貸し球」に、「貸球払出通路１４」が「貸し球払出経路」に、「球払出制御回路２７」が「経路切換制御手段」に、「球供給筒１０」が「補給通路」に、「景品球タンク１２」が「賞球タンク」に、「保持孔１８」が「球受孔」に、「回転体１６」が「回転ディスク体」に、「モータ１７」が「駆動手段」に、それぞれ相当し、両者は、
　「遊技盤面に設けられる入賞口への遊技球の入賞により払出される賞品球の払出経路である賞球払出経路と、カード使用による貸し球要求に対応して払出される貸し球の払出経路である貸し球払出経路とを備え、前記賞球払出経路と貸し球払出経路とに球の払出経路を切換える経路切換手段と、賞品球の払出信号及び貸し球の要求信号のいずれかに基づいて前記経路切換手段による球払出経路を切換え制御する経路切換制御手段とが設けられると共に、前記経路切換手段が、補給通路を介して賞球タンクより供給される球を複数の球受孔で受けて前記賞球払出経路及び貸し球払出経路のいずれかに選択的に誘導し可逆転式に回転される回転ディスク体と、該回転ディスク体を可逆転式に回転させる駆動手段とからなり、前記回転ディスク体の回転方向により複数の球受孔で受けられた球が前記賞球払出経路と貸し球払出経路とに振り分けて払い出されるカード式パチンコ遊技機。」である点で一致し、次の点で一応相違する。
（相違点）
　回転ディスク体が、本願補正発明は「機構板面に対して水平面内で回転される」のに対し、先願発明は「鉛直面内で回転される」点。
　上記相違点を検討すると、先願明細書には賞球払出経路及び貸し球払出経路のいずれかに選択的に誘導し可逆転式に回転される回転ディスク体が記載されており、また、パチンコ遊技機において、（パチンコ）球を払出経路に誘導する回転ディスク体を水平面内で回転させるようにしたものは、周知慣用のことであるから（例えば、特開平７−２４６２７４号公報、特開平７−８８２３５号公報、特開平５−２６９２４９号公報等参照）、先願明細書の記載に接した当業者にとって、賞球払出経路及び貸し球払出経路のいずれかに選択的に誘導し可逆転式に回転される回転ディスク体が、水平面内で回転されることは、先願明細書に記載されているに等しい事項である。
　したがって、本願補正発明は、その出願の日前の他の特許出願であつて当該特許出願後に発行された先願発明と実質的に同一であり、しかも、その発明をした者が当該特許出願に係る発明の発明者と同一でなく、当該特許出願の時にその出願人と当該他の特許出願の出願人とが同一の者でもないから、その発明については、特許法第２９条の２の規定により特許を受けることができない。
　
(4)むすび
　以上のとおりであるから、上記補正は、特許法第１７条の２第４項第２号に規定された特許請求の範囲の減縮を目的とするところ、補正後の発明が、その特許出願の際、独立して特許を受けることができないから、本件補正は、平成１５年改正前特許法第１７条の２第５項において準用する同法第１２６条第４項の規定に違反するものであり、特許法第１５９条第１項において読み替えて準用する特許法第５３条第１項の規定により却下されるべきものである。
　
３．本願発明
　平成１３年９月２７日付けの手続補正は上記のとおり却下されたので、本願の請求項１及び２に係る発明のうち、本願の請求項１に係る発明（以下、本願発明という。）は、平成１３年３月１５日付け手続補正書の特許請求の範囲の請求項１に記載された事項により特定される、以下のとおりのものである。　　
　「遊技盤面に設けられる入賞口への遊技球の入賞により払出される賞品球の払出経路である賞球払出経路と、カード使用による貸し球要求に対応して払出される貸し球の払出経路である貸し球払出経路とを備え、前記賞球払出経路と貸し球払出経路とに球の払出経路を切換える経路切換手段と、賞品球の払出信号及び貸し球の要求信号のいずれかに基づいて前記経路切換手段による球払出経路を切換え制御する経路切換制御手段とが設けられると共に、前記経路切換手段が、前記補給通路を介して賞球タンクより供給される球を前記賞球払出経路及び貸し球払出経路のいずれかに選択的に誘導し水平面内で可逆転式に回転される回転ディスク体と、該回転ディスク体を可逆転式に回転させる駆動手段とからなり、前記回転ディスク体の回転方向により球が前記賞球払出経路と貸し球払出経路とに振り分けて払い出されることを特徴とするカード式パチンコ遊技機。」
　
４．先願発明
　先願発明は、上記「２．(2)」に記載したとおりである。
　
５．対比・判断
　本願発明は、上記本願補正発明から、「複数の球受孔で受けて（受けられた）」、「機構盤面に対して」の構成要件を省いたものである。
　そうすると、本願発明の構成要件を全て含み、さらに他の構成要件を付加したものに相当する本願補正発明が、上記「２．(3)」に記載したとおり、先願発明と同一の発明であるから、本願発明は先願発明から上記構成要件を省いた発明と同一である。
　そして、上記先願発明から上記構成要件を省いた発明も先願明細書に記載されているから、本願発明は先願発明と同一である。
　
６．むすび
　以上のとおり、したがって、本願発明は、その出願の日前の他の特許出願であつて当該特許出願後に発行された先願発明と実質的に同一であり、しかも、その発明をした者が当該特許出願に係る発明の発明者と同一でなく、当該特許出願の時にその出願人と当該他の特許出願の出願人とが同一の者でもないから、その発明については、特許法第２９条の２の規定により特許を受けることができず、本願の他の請求項に係る発明を検討するまでもなく、本願は拒絶をすべきものである。
　よって、結論のとおり審決する。